【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
燃料電池をエネルギ源の一つとして動力を出力する動力出力装置であって、
前記燃料電池から出力可能な電力に対応したパラメータを求める演算手段と、
該求められたパラメータを所定値と比較して、前記出力可能な電力が不足しているパワー不足状態を検出する検出手段と、
該検出手段で前記パワー不足状態が検出されたときに、パワー不足であることを報知する報知手段と
を備える動力出力装置。
【請求項２】
請求項１に記載の動力出力装置であって、
前記演算手段は、
前記燃料電池の電池特性を検出する電池特性検出手段と、
該検出された電池特性に基づいて、前記パラメータとして、定格電圧での最大出力を求める手段と
を備える動力出力装置。
【請求項３】
請求項１または２に記載の動力出力装置であって、
前記演算手段は、
前記燃料電池の状態を検出する電池状態検出手段と、
該検出された燃料電池の状態に基づいて、前記パラメータとして、前記燃料電池の出力可能量を求める手段と
を備える動力出力装置。
【請求項４】
前記電池状態検出手段により検出される燃料電池の状態が、前記燃料電池の温度を少なくとも含むものである請求項３に記載の動力出力装置。
【請求項５】
請求項１ないし４のいずれかに記載の動力出力装置であって、
前記演算手段は、
前記燃料電池へ燃料ガスを送る燃料ポンプの状態を検出する燃料ポンプ状態検出手段と、
該検出された燃料ポンプの状態に基づいて、前記パラメータとして、前記燃料ポンプによる燃料ガスの供給量を制限するための燃料ガス制限量を求める手段と
を備える動力出力装置。
【請求項６】
前記燃料ポンプ状態検出手段により検出される燃料ポンプの状態が、前記燃料ポンプのモータの温度である請求項５に記載の動力出力装置。
【請求項７】
請求項１ないし６のいずれかに記載の動力出力装置であって、
前記演算手段は、
前記燃料電池へ酸化ガスを圧送するコンプレッサの状態を検出するコンプレッサ状態検出手段と、
該検出されたコンプレッサの状態に基づいて、前記パラメータとして、前記コンプレッサによる酸化ガスの供給量を制限するための酸化ガス制限量を求める手段と
を備える動力出力装置。
【請求項８】
前記コンプレッサ状態検出手段により検出されるコンプレッサの状態が、前記コンプレッサのモータの温度である前記請求項７に記載の動力出力装置。
【請求項９】
前記報知手段は、前記報知を可視的に行なう報知灯を備える請求項１ないし８のいずれかに記載の動力出力装置。
【請求項１０】
燃料電池と該燃料電池からの出力を充電可能な二次電池とをエネルギ源として動力を出力する動力出力装置であって、
前記二次電池から出力可能な電力に対応したパラメータを求める演算手段と、
該求められたパラメータを所定値と比較して、前記二次電池から出力可能な電力が不足しているパワー不足状態を検出する検出手段と、
該検出手段で前記パワー不足状態が検出されたときに、パワー不足であることを報知する報知手段と
を備え、
前記演算手段は、
前記二次電池の状態を検出する電池状態検出手段と、
該検出された二次電池の状態に基づいて、前記パラメータとして、前記二次電池の出力可能量を求める手段と
を備え、
前記電池状態検出手段により検出される二次電池の状態が、前記二次電池の充電状態と前記二次電池の温度を少なくとも含むものである動力出力装置。
【請求項１１】
前記報知手段は、前記報知を可視的に行なう報知灯を備える請求項１０に記載の動力出力装置。
【請求項１２】
燃料電池と、
該燃料電池からの出力を充電可能な二次電池と、
前記燃料電池および／または二次電池からの出力の供給を受けて、モータを駆動するインバータと、
前記燃料電池と二次電池からそれぞれ出力可能な電力の和に対応したパラメータを求める演算手段と、
該求められたパラメータを所定値と比較して、前記出力可能な電力の和が不足しているパワー不足状態を検出する検出手段と、
該検出手段で前記パワー不足状態が検出されたときに、パワー不足であることを報知する報知手段と
を備える動力出力装置。
【請求項１３】
前記報知手段は、前記報知を可視的に行なう報知灯を備える請求項１２に記載の動力出力装置。
【請求項１４】
燃料電池と該燃料電池からの出力を充電可能な二次電池とをエネルギ源として動力を出力する動力出力装置であって、
前記燃料電池から出力可能な電力に対応した第１のパラメータを求める第１演算手段と、
該求められた第１のパラメータを第１の所定値と比較して、前記燃料電池から出力可能な電力が不足しているパワー不足状態を検出する第１検出手段と、
前記二次電池から出力可能な電力に対応した第２のパラメータを求める第２演算手段と、
該求められた第２のパラメータを第２の所定値と比較して、前記二次電池から出力可能な電力が不足しているパワー不足状態を検出する第２検出手段と、
前記第１検出手段と第２検出手段のうちの少なくとも一方で、パワー不足状態が検出されたときに、パワー不足であることを報知する報知手段と
を備え、
前記第２演算手段は、
前記二次電池の状態を検出する電池状態検出手段と、
該検出された二次電池の状態に基づいて、前記パラメータとして、前記二次電池の出力可能量を求める手段と
を備え、
前記電池状態検出手段により検出される二次電池の状態が、前記二次電池の充電状態と前記二次電池の温度を少なくとも含むものである動力出力装置。
【請求項１５】
燃料電池をエネルギ源の一つとして動力を出力する動力出力装置であって、
当該動力出力装置に負荷が掛かっていないときに、前記燃料電池から出力可能な最大出力値を求める燃料電池最大出力値算出手段と、
該求められた燃料電池の最大出力値を用いて、当該動力出力装置から出力可能な最大出力値を求める装置最大出力値算出手段と、
該求められた動力出力装置の最大出力値が所定値を下回るパワー不足状態を検出する検出手段と、
該検出されたパワー不足状態を報知する報知手段と
を備える動力出力装置。
【請求項１６】
前記報知手段は、前記報知を可視的に行なう報知灯を備える請求項１５に記載の動力出力装置。
【請求項１７】
燃料電池をエネルギ源の一つとして動力を出力する動力出力装置であって、
当該動力出力装置に負荷が掛かっていないときに、前記燃料電池から出力可能な最大出力値を求める燃料電池最大出力値算出手段と、
該求められた燃料電池の最大出力値を用いて、当該動力出力装置から出力可能な最大出力値を求める装置最大出力値算出手段と、
当該動力出力装置に負荷が掛かっているときに、前記装置最大出力値算出手段により求められた動力出力装置の最大出力値を表示する表示手段と
を備える動力出力装置。
【請求項１８】
前記表示手段は、前記動力出力装置の最大出力値が所定値を下回ることを明示しうるメータを備える請求項１７に記載の動力出力装置。
【請求項１９】
前記メータは、
前記動力出力装置の最大出力値に応じて可動する指針と、該指針の振れ量を表わす目盛盤とを備えるとともに、
前記動力出力装置の最大出力値が所定値を下回ることを示す警告区域を前記目盛盤に設けた構成である請求項１８に記載の動力出力装置。
【請求項２０】
前記メータの指針が前記警告区域に至る状態時に、パワー不足であることを報知する報知灯を備える請求項１９に記載の動力出力装置。
【請求項２１】
請求項１７ないし２０に記載の動力出力装置であって、
当該動力出力装置から出力される現在の出力値を求める現出力値算出手段と、
該求められた現在の出力値を、前記表示手段による表示と比較可能に表示する現出力値表示手段と
を備える動力出力装置。
【請求項２２】
燃料電池と、該燃料電池からの出力を充電可能な二次電池とを備え、両者によって動力を出力する動力出力装置であって、
当該動力出力装置に負荷が掛かっていないときに、前記燃料電池から出力可能な最大出力値を求める燃料電池最大出力値算出手段と、
該求められた燃料電池の最大出力値と、前記二次電池から出力可能な最大出力値の和を、当該動力出力装置から出力可能な最大出力値として求める装置最大出力値算出手段と、
該求められた動力出力装置の最大出力値が所定値を下回るパワー不足状態を検出する検出手段と、
該検出されたパワー不足状態を報知する報知手段と
を備える動力出力装置。
【請求項２３】
燃料電池と、該燃料電池からの出力を充電可能な二次電池とを備え、両者によって動力を出力する動力出力装置であって、
当該動力出力装置に負荷が掛かっていないときに、前記燃料電池から出力可能な最大出力値を求める燃料電池最大出力値算出手段と、
該求められた燃料電池の最大出力値と、前記二次電池から出力可能な最大出力値の和を、当該動力出力装置から出力可能な最大出力値として求める装置最大出力値算出手段と、
前記動力出力装置に負荷が掛かっているときに、前記装置最大出力値算出手段により求められた最大出力値を表示する表示手段と
を備える動力出力装置。
【請求項２４】
前記表示手段は、前記動力出力装置の最大出力値が所定値を下回ることを明示しうるメータを備える請求項２３に記載の動力出力装置。
【請求項２５】
前記メータは、
前記動力出力装置の最大出力値に応じて可動する指針と、該指針の振れ量を表わす目盛盤とを備えるとともに、
前記動力出力装置の最大出力値が所定値を下回ることを示す警告区域を前記目盛盤に設けた構成である請求項２４に記載の動力出力装置。
【請求項２６】
燃料電池をエネルギ源の一つとして動力を出力する動力出力装置であって、
当該動力出力装置から出力可能な最大出力値を求める装置最大出力値算出手段と、
当該動力出力装置から出力される現在の出力値を求める現出力値算出手段と、
前記装置最大出力値算出手段により求められた最大出力値と、前記現出力値算出手段により求められた現在の出力値とを比較可能に表示する表示手段と
を備える動力出力装置。
【請求項２７】
前記表示手段は、前記最大出力値が所定値を下回ることを明示しうるメータを備える請求項２６に記載の動力出力装置。
【請求項２８】
前記メータは、
前記最大出力値に応じて可動する指針と、該指針の振れ量を表わす目盛盤とを備えるとともに、
前記最大出力値が所定値を下回ることを示す警告区域を前記目盛盤に設けた構成である請求項２７に記載の動力出力装置。
【請求項２９】
前記メータの指針が前記警告区域に至る状態時に、パワー不足であることを報知する報知灯を備える請求項２８に記載の動力出力装置。
【請求項３０】
燃料電池をエネルギ源の一つとして動力を出力する動力出力方法であって、
（ａ）前記燃料電池から出力可能な電力に対応したパラメータを求めるステップと、
（ｂ）該求められたパラメータを所定値と比較して、前記出力可能な電力が不足しているパワー不足状態を検出するステップと、
（ｃ）該ステップ（ｂ）で前記パワー不足状態が検出されたときに、パワー不足であることを報知するステップと
を備える動力出力方法。
【請求項３１】
燃料電池と該燃料電池からの出力を充電可能な二次電池とをエネルギ源として動力を出力する動力出力方法であって、
（ａ）前記二次電池から出力可能な電力に対応したパラメータを求めるステップと、
（ｂ）該求められたパラメータを所定値と比較して、前記二次電池から出力可能な電力が不足しているパワー不足状態を検出するステップと、
（ｃ）該ステップ（ｂ）で前記パワー不足状態が検出されたときに、パワー不足であることを報知するステップと
を備え、
前記ステップ（ａ）は、
（ａ−１）前記二次電池の状態を検出するステップと、
（ａ−２）該検出された二次電池の状態に基づいて、前記パラメータとして、前記二次電池の出力可能量を求めるステップと
を備え、
前記ステップ（ａ−１）により検出される二次電池の状態が、前記二次電池の充電状態と前記二次電池の温度を少なくとも含むものである動力出力方法。
【請求項３２】
燃料電池と、
該燃料電池からの出力を充電可能な二次電池と、
前記燃料電池および／または二次電池からの出力の供給を受けて、モータを駆動するインバータと、
を備えた動力出力装置を制御する動力出力方法であって、
（ａ）前記モータの要求出力を算出するステップと、
（ｂ）前記燃料電池と二次電池からそれぞれ出力可能な電力の和に対応したパラメータを求めるステップと、
（ｃ）該求められたパラメータを所定値と比較して、前記出力可能な電力の和が不足しているパワー不足状態を検出するステップと、
（ｄ）該ステップ（ｃ）で前記パワー不足状態が検出されたときに、パワー不足であることを報知するステップと
を備える動力出力方法。
【請求項３３】
燃料電池と該燃料電池からの出力を充電可能な二次電池とをエネルギ源として動力を出力する動力出力方法であって、
（ａ）前記燃料電池から出力可能な電力に対応した第１のパラメータを求めるステップと、
（ｂ）該求められた第１のパラメータを第１の所定値と比較して、前記燃料電池から出力可能な電力が不足しているパワー不足状態を検出するステップと、
（ｃ）前記二次電池から出力可能な電力に対応した第２のパラメータを求めるステップと、
（ｄ）該求められた第２のパラメータを第２の所定値と比較して、前記二次電池から出力可能な電力が不足しているパワー不足状態を検出するステップと、
（ｅ）前記ステップ（ｂ）とステップ（ｄ）のうちの少なくとも一方で、パワー不足状態が検出されたときに、パワー不足であることを報知するステップと
を備え、
前記ステップ（ｃ）は、
（ｃ−１）前記二次電池の状態を検出するステップと、
（ｃ−２）該検出された二次電池の状態に基づいて、前記パラメータとして、前記二次電池の出力可能量を求めるステップと
を備え、
前記ステップ（ｃ−１）により検出される二次電池の状態が、前記二次電池の充電状態と前記二次電池の温度を少なくとも含むものである動力出力方法。
【請求項３４】
燃料電池をエネルギ源の一つとして動力を出力する動力出力方法であって、
（ａ）当該動力出力装置に負荷が掛かっていないときに、前記燃料電池から出力可能な最大出力値を求めるステップと、
（ｂ）該求められた燃料電池の最大出力値を用いて、当該動力出力装置から出力可能な最大出力値を求めるステップと、
（ｃ）該求められた動力出力装置の最大出力値が所定値を下回るパワー不足状態を検出するステップと、
（ｄ）該検出されたパワー不足状態を報知するステップと
を備える動力出力方法。
【請求項３５】
燃料電池をエネルギ源の一つとして動力を出力する動力出力方法であって、
（ａ）当該動力出力装置に負荷が掛かっていないときに、前記燃料電池から出力可能な最大出力値を求めるステップと、
（ｂ）該求められた燃料電池の最大出力値を用いて、当該動力出力装置から出力可能な最大出力値を求めるステップと、
（ｃ）当該動力出力装置に負荷が掛かっているときに、前記ステップ（ｂ）により求められた動力出力装置の最大出力値を表示するステップと
を備える動力出力方法。
【請求項３６】
請求項３５に記載の動力出力方法であって、
（ｄ）前記ステップ（ａ）により求められた最大出力値が所定値を下回るパワー不足状態を検出するステップと、
（ｅ）該検出されたパワー不足状態を報知するステップと
を備える動力出力方法。
【請求項３７】
請求項３５または３６に記載の動力出力方法であって、
（ｆ）当該動力出力方法によって出力される現在の出力値を求めるステップと、
（ｇ）該求められた現在の出力値を、前記ステップ（ｃ）による表示と比較可能に表示するステップと
を備える動力出力方法。
【請求項３８】
燃料電池と、該燃料電池からの出力を充電可能な二次電池とを備え、両者によって動力を出力する動力出力方法であって、
（ａ）前記動力に対する負荷が掛かっていないときに、前記燃料電池から出力可能な最大出力値を求めるステップと、
（ｂ）該求められた燃料電池の最大出力値と、前記二次電池から出力可能な最大出力値の和を、当該動力出力の最大出力値として求めるステップと、
（ｃ）ステップ（ｂ）により求められた最大出力値が所定値を下回るパワー不足状態を検出するステップと、
（ｄ）該検出されたパワー不足状態を報知するステップと
を備える動力出力方法。
【請求項３９】
燃料電池と、該燃料電池からの出力を充電可能な二次電池とを備え、両者によって動力を出力する動力出力方法であって、
（ａ）前記動力に対する負荷が掛かっていないときに、前記燃料電池から出力可能な最大出力値を求めるステップと、
（ｂ）該求められた燃料電池の最大出力値と、前記二次電池から出力可能な最大出力値の和を、当該動力出力の最大出力値として求めるステップと、
（ｃ）前記動力に対する負荷が掛かっているときに、前記ステップ（ｂ）により求められた最大出力値を表示するステップと
を備える動力出力方法。
【請求項４０】
燃料電池をエネルギ源の一つとして動力を出力する動力出力方法であって、
（ａ）出力可能な最大出力値を求めるステップと、
（ｂ）出力されている現在の出力値を求めるステップと、
（ｃ）ステップ（ａ）により求められた最大出力値と、ステップ（ｂ）により求められた現在の出力値とを比較可能に表示するステップと
を備える動力出力方法。
【請求項４１】
請求項４０に記載の動力出力方法であって、
（ｄ）前記ステップ（ａ）により求められた最大出力値が所定値を下回るパワー不足状態を検出するステップと、
（ｅ）該検出されたパワー不足状態を報知するステップと
を備える動力出力方法。
【手続補正２】
【補正対象書類名】明細書
【補正対象項目名】００１０
【補正方法】変更
【補正の内容】
【００１０】
上記第１の動力出力装置において、前記演算手段は、前記燃料電池の状態を検出する電池状態検出手段と、該検出された燃料電池の状態に基づいて、前記パラメータとして、前記燃料電池の出力可能量を求める手段とを備える構成とすることができる。
【手続補正３】
【補正対象書類名】明細書
【補正対象項目名】００１１
【補正方法】変更
【補正の内容】
【００１１】
この構成によれば、演算手段により、燃料電池の出力可能量を示すパラメータが求められる。したがって、この動力出力装置では、このパラメータから、燃料電池からの出力可能な電力が不足するパワー不足状態を検出することができる。
【手続補正４】
【補正対象書類名】明細書
【補正対象項目名】００１２
【補正方法】変更
【補正の内容】
【００１２】
上記出力可能量をパラメータとした動力出力装置において、前記電池状態検出手段により検出される燃料電池の状態が、前記燃料電池の温度を少なくとも含むものである構成とすることができる。
【手続補正５】
【補正対象書類名】明細書
【補正対象項目名】００１３
【補正方法】変更
【補正の内容】
【００１３】
この構成によれば、燃料電池の温度に基づいて、出力可能量が求められることになる。
【手続補正６】
【補正対象書類名】明細書
【補正対象項目名】００２３
【補正方法】変更
【補正の内容】
【００２３】
この発明の第２の動力出力装置は、
燃料電池と該燃料電池からの出力を充電可能な二次電池とをエネルギ源として動力を出力する動力出力装置であって、
前記二次電池から出力可能な電力に対応したパラメータを求める演算手段と、
該求められたパラメータを所定値と比較して、前記二次電池から出力可能な電力が不足しているパワー不足状態を検出する検出手段と、
該検出手段で前記パワー不足状態が検出されたときに、パワー不足であることを報知する報知手段と
を備え、
前記演算手段は、
前記二次電池の状態を検出する電池状態検出手段と、
該検出された二次電池の状態に基づいて、前記パラメータとして、前記二次電池の出力可能量を求める手段と
を備え、
前記電池状態検出手段により検出される二次電池の状態が、前記二次電池の充電状態と前記二次電池の温度を少なくとも含むものであることを特徴としている。
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
また、この構成によれば、二次電池の充電状態と二次電池の温度に基づいて、前記パラメータとしての出力可能量が求められることになる。
【手続補正１１】
【補正対象書類名】明細書
【補正対象項目名】００３３
【補正方法】変更
【補正の内容】
【００３３】
この発明の第４の動力出力装置は、
燃料電池と該燃料電池からの出力を充電可能な二次電池とをエネルギ源として動力を出力する動力出力装置であって、
前記燃料電池から出力可能な電力に対応した第１のパラメータを求める第１演算手段と、
該求められた第１のパラメータを第１の所定値と比較して、前記燃料電池から出力可能な電力が不足しているパワー不足状態を検出する第１検出手段と、
前記二次電池から出力可能な電力に対応した第２のパラメータを求める第２演算手段と、
該求められた第２のパラメータを第２の所定値と比較して、前記二次電池から出力可能な電力が不足しているパワー不足状態を検出する第２検出手段と、
前記第１検出手段と第２検出手段のうちの少なくとも一方で、パワー不足状態が検出されたときに、パワー不足であることを報知する報知手段と
を備え、
前記第２演算手段は、
前記二次電池の状態を検出する電池状態検出手段と、
該検出された二次電池の状態に基づいて、前記パラメータとして、前記二次電池の出力可能量を求める手段と
を備え、
前記電池状態検出手段により検出される二次電池の状態が、前記二次電池の充電状態と前記二次電池の温度を少なくとも含むものであることを特徴としている。
【手続補正１２】
【補正対象書類名】明細書
【補正対象項目名】００６１
【補正方法】変更
【補正の内容】
【００６１】
この発明の第２の動力出力方法は、
燃料電池と該燃料電池からの出力を充電可能な二次電池とをエネルギ源として動力を出力する動力出力方法であって、
（ａ）前記二次電池から出力可能な電力に対応したパラメータを求めるステップと、
（ｂ）該求められたパラメータを所定値と比較して、前記二次電池から出力可能な電力が不足しているパワー不足状態を検出するステップと、
（ｃ）該検出されたパワー不足状態を報知するステップと
を備え  前記ステップ（ａ）は、
（ａ−１）前記二次電池の状態を検出するステップと、
（ａ−２）該検出された二次電池の状態に基づいて、前記パラメータとして、前記二次電池の出力可能量を求めるステップと
を備え、
前記ステップ（ａ−１）により検出される二次電池の状態が、前記二次電池の充電状態と前記二次電池の温度を少なくとも含むものであることを特徴としている。
【手続補正１３】
【補正対象書類名】明細書
【補正対象項目名】００６５
【補正方法】変更
【補正の内容】
【００６５】
この発明の第４の動力出力方法は、
燃料電池と該燃料電池からの出力を充電可能な二次電池とをエネルギ源として動力を出力する動力出力方法であって、
（ａ）前記燃料電池から出力可能な電力に対応した第１のパラメータを求めるステップと、
（ｂ）該求められた第１のパラメータを第１の所定値と比較して、前記燃料電池から出力可能な電力が不足しているパワー不足状態を検出するステップと、
（ｃ）前記二次電池から出力可能な電力に対応した第２のパラメータを求める演算手段と、
（ｄ）該求められた第２のパラメータを第２の所定値と比較して、前記二次電池から出力可能な電力が不足しているパワー不足状態を検出するステップと、
（ｅ）前記ステップ（ｂ）とステップ（ｄ）のうちの少なくとも一方で、パワー不足状態が検出されたときに、パワー不足状態を報知するステップと
を備え、
前記ステップ（ｃ）は、
（ｃ−１）前記二次電池の状態を検出するステップと、
（ｃ−２）該検出された二次電池の状態に基づいて、前記パラメータとして、前記二次電池の出力可能量を求めるステップと
を備え、
前記ステップ（ｃ−１）により検出される二次電池の状態が、前記二次電池の充電状態と前記二次電池の温度を少なくとも含むものであることを特徴としている。
【手続補正１４】
【補正対象書類名】明細書
【補正対象項目名】０１４６
【補正方法】変更
【補正の内容】
【０１４６】
なお、ＦＣ最大パワーＱｍｘを求める構成が請求項２に、燃料電池出力可能量Ｑｆを求める構成が請求項３に、二次電池出力可能量Ｑｂを求める構成が請求項１０に、エア送気量制限率Ｐａを求める構成が請求項７に、水素ポンプ回転数制限率Ｐｆを求める構成が請求項５にそれぞれ対応している。また、駆動出力許可量Ｑｈを用いた構成が請求項１２にそれぞれ対応している。